(57)【要約】【課題】吸音材の厚みの増大化等を伴わずに吸音性能を高められる車両用内装材の提供を図る。【解決手段】吸音材１１に所要の間隔をおいて切り起こし領域を区画する複数のスリット１２を設けて各スリットからそれぞれ切り起こし片１３を形成して、吸音材１１の表面をこれら複数の切り起こし片１３により凹凸形状に形成する。これにより、吸音材１１の音を吸収する表面積が増大し、しかも、トリム材１０と吸音材１１との間に背後空気層Ｓが形成される。結果、吸音材１１の吸音性能が向上すると共に、背後空気層Ｓによる吸音効果が得られる。【選択図】図１
2015113019.tif 000002
【特許請求の範囲】
【請求項１】
トリム材の裏側に多孔質材料からなる吸音材を配設した構造であって、
前記吸音材に、所要の間隔をおいて切り起こし領域を区画する複数のスリットを設けて各スリットからそれぞれ切り起こし片を形成し、これら複数の切り起こし片により表面を凹凸形状に形成したことを特徴とする車両用内装材。
【請求項２】
前記トリム材が車体パネル面に並列して配設される室内トリムであって、前記切り起こし片を長方形の短冊形状に形成したことを特徴とする請求項１に記載の車両用内装材。
【請求項３】
前記吸音材を、前記トリム材に対向する車体パネルに配設したことを特徴とする請求項１または２に記載の車両用内装材。
【発明の詳細な説明】
【技術分野】
【０００１】
本発明は、自動車のドアトリムやルーフトリム等に代表される車両用内装材に関する。
【背景技術】
【０００２】
自動車の車室側のパネル面を被覆して配設される車両用内装材の中には、例えば、特許文献１に示されているように、型成形された合成樹脂製のトリム材の裏面に吸音材を配設して、車外の騒音をその吸音材で吸収して車室内への透過音を小さく抑制するようにしたものが知られている。
【先行技術文献】
【特許文献】
【０００３】
【特許文献１】特開２００３−８１０２１号公報
【発明の概要】
【発明が解決しようとする課題】
【０００４】
車両用内装材の吸音性能を高めるためには、吸音材の厚みや敷設面積を増大するか、吸音性能に優れた材料を選択する必要があって、コスト的に不利となってしまうことは否めない。
【０００５】
そこで、本発明は吸音材の厚みの増大化や高価な吸音材料の使用を伴うことなく吸音性能を高めることができる車両用内装材を提供するものである。
【課題を解決するための手段】
【０００６】
本発明の車両用内装材は、トリム材の裏面に多孔質材料からなる吸音材を配設してあって、この吸音材は、所要の間隔をおいて切り起こし領域を区画する複数のスリットを設けて各スリットのそれぞれから切り起こし片を形成し、これら複数の切り起こし片により表面を凹凸形状に形成したことを主要な特徴としている。
【発明の効果】
【０００７】
本発明によれば、複数の切り起こし片により吸音材の表面を凹凸形状とすることによって該吸音材の表面積が増大することに加えて、この切り起こし片によってトリム材と吸音材との間に遮音層となる背後空気層を形成することができる。
【０００８】
これにより、吸音材の厚みの増大化や高価な吸音材料の使用を伴うことなく吸音性能を高めることができる。
【図面の簡単な説明】
【０００９】
【図１】本発明の実施形態に係るバックドアトリムを裏面側から見た説明図。
【図２】図１のＡ−Ａ線に沿う断面図。
【図３】図１のＢ−Ｂ線に沿う拡大断面図。
【図４】吸音材のバックドアトリムへの組付手順を（Ａ）、（Ｂ）にて示す説明図。
【図５】吸音材の異なる組付例を示す説明図。
【図６】第１実施形態の吸音材と、その比較例と、それらの吸音性能を（Ａ）、（Ｂ）、（Ｃ）にて示す説明図。
【図７】スリットの形成例を（Ａ）、（Ｂ）、（Ｃ）にて示す説明図。
【発明を実施するための形態】
【００１０】
以下、本発明の実施形態をトリム材として自動車のバックドアトリムを例に採って図面と共に詳述する。
【００１１】
図１に示す実施形態のバックドアトリム１０は、図２に例示したバックドアの略下半部を構成するドア本体１に配設される。
【００１２】
図２では便宜的にドア本体１のみを示しているが、このドア本体１の上縁部（ドアウエスト部）の車幅方向両側にドアフレームが立設され、該ドアフレームにウィンドウパネルを固着してバックドアの略上半部が構成される（ドアフレーム、ウィンドウパネルは何れも図示省略）。
【００１３】
このドア本体１は、ドアアウタパネル２とドアインナパネル３とで閉断面に形成してあって、バックドアトリム１０はドアインナパネル３の前面を覆ってその周縁部の複数ヶ所で例えばクリップにより止着固定される。
【００１４】
バックドアトリム１０は、適宜の合成樹脂材をもって射出成形等により型成形され、その裏面には吸音材１１を配設してある。
【００１５】
吸音材１１は、フェルト，グラスウール，樹脂繊維の集合体、あるいはポリウレタンのような連続気泡を持つ発泡体といった多孔質材料が選択的に用いられる。
【００１６】
このような多孔質材料は、一般に、面密度が１００ｇ/ｍ２〜１２００ｇ/ｍ２、厚さが５ｍｍ〜３０ｍｍのものを使用することで、優れた吸音性能が得られることが知られている。
【００１７】
また、吸音材１１として、上述の多孔質材料を単体として用いる他、多孔質材料の表面に、例えば、面密度１５〜３００ｇ/ｍ２の低通気性不織布や、面密度３０〜１００ｇ/ｍ２のポリエチレンフィルム、といった表面保護材を設けた多層構造のものを用いることができる。
【００１８】
本実施形態では、上述の吸音材１１としてバックドアトリム１０の裏面に配設可能な矩形状に裁断したフェルトを用いている。
【００１９】
この吸音材１１には、その長さ方向（車幅方向）に所要の間隔をおいて切り起こし領域を区画する複数のスリット１２を設けて各スリット１２から切り起こし片１３を形成し、これら複数の切り起こし片１３により吸音材１１の表面を凹凸形状に形成してある（図３、図４参照）。
【００２０】
本実施形態ではスリット１２を、図４（Ａ）、図７（Ａ）に示すように吸音材１１の幅方向両側縁に沿う一対の横長の短辺とそれらの一端を繋ぐ縦長の長辺とで鉤形に形成して、この鉤形の向きを一方向に揃えて複数を隣接して形成してある。
【００２１】
切り起こし片１３の切り起こしに有効なスリット１２の丈（形成幅）Ｌは、吸音材１１の厚みｔに対して０．５倍〜５．０倍（例えば、吸音材厚みｔ＝１０ｍｍの場合、スリット丈Ｌ＝５ｍｍ〜５０ｍｍ）が好ましい。また、切り起こし片１３の起立角度θは、０°〜９０°好ましくは３０°〜９０°としている。
【００２２】
切り起こし片１３は、ドア本体１側に向けて突出して縦長に設けられるが、自体には起立状態の形状保持性がないため、例えば、図４に示すバックドアトリム１０に設けた複数のリブ突起１４等の支持部材で背面を支えて起立状態を保持するようにしている。
【００２３】
リブ突起１４はバックドアトリム１０の裏面に、例えば、１つの切り起こし片１３に対してその長さ方向両側を支えるように各一対設けてあり、その支持縁は切り起こし片１３の起立角度θに対応する所要の角度に傾斜して形成してある。
【００２４】
支持部材はリブ突起１４に限らず、柱状突起やエンボスなどバックドアトリム１０の型成形と同時に成形可能なものであればよい。
【００２５】
スリット１２の形成は複数の切刃を設けた図外の刃型により容易に形成することができるが、この他、ＮＣカッターやウォータジェットなどの加工手段を採用することができ、その加工方法は特に限定されるものではない。
【００２６】
このようにして形成された吸音材１１は、バックドアトリム１０の裏面に張設されるが、その固定は、超音波溶着，ホットメルト，両面接着テープ，粘着剤等による接着，クリップやフック等による掛着固定、等を選択的に用いることができる。図１の符号Ｐはこの固定点を示している。
【００２７】
この吸音材１１のバックドアトリム１０への組付けに際して、図４（Ａ）に示すように吸音材１１をバックドアトリム１０の裏面に重合すれば、リブ突起１４により切り起こし片１３が背面側から突き上げられて起立保持されるから、この状態で吸音材１１をバックドアトリム１０の裏面に固定する。
【００２８】
切り起こし片１３の起立保持は、この他、例えば図５に示すアルミ等の軽量金属製あるいは合成樹脂製のリテーナ１５を用いることによって行うこともできる。
【００２９】
リテーナ１５は、吸音材１１の周縁部を押え可能な矩形のフレーム状に形成して、各切り起こし片１３の自由端を背面側から支える複数のアーム部１６を備える。
【００３０】
リテーナ１５は、例えば図外のクリップ等により吸音材１１の周縁部を押え付けた状態でバックドアトリム１０に固定される。
【００３１】
アーム部１６による切り起こし片１３の支持は、アーム部１６を切り起こし片１３に係着してリテーナ１５を吸音材１１に仮止めするか、あるいはリテーナ１５による吸音材１１のバックドアトリム１０への固定後に切り起こし片１３をアーム部１６上に引き起こして係着することによって行うことができる。
【００３２】
以上の構成からなる本実施形態によれば、複数の切り起こし片１３により吸音材１１の表面を凹凸形状とすることによって、該吸音材１１の音を吸収する表面積を増大することができる。これに加えて図３に示すように、この切り起こし片１３によってバックドアトリム１０と吸音材１１との間に背後空気層Ｓが形成され、中低域側の吸音性能を向上できる。
【００３３】
この結果、吸音材１１の厚みを増したり、敷設面積を増大したり、あるいは高価な吸音素材を使用しなくても高い吸音性能が得られ、バックドアトリム１０の遮音効果を高めることができる。また、切り起こし片１３の形成により広がったスリット１２を通過してバックドアトリム１０の裏面で反射した騒音を吸音材１１の裏面側で吸収させることができるので、吸音性能をより一層高めることができる。
【００３４】
このように本実施形態では、切り起こし片１３により吸音材１１に部分的に角度を設けることによって、該吸音材１１の表裏面を吸音層として使用することが可能となり、従来の吸音材を凌駕する吸音効果および遮音効果を発揮させることができる。
【００３５】
図６は、この実施形態の吸音材１１を用いたバックドアトリム１０と、切り起こし片の無いフェルト生地の吸音材１１Ａを用いた比較例のバックドアトリム１０との吸音性能を示すものである。
【００３６】
図６（Ｃ）は、吸音力が３１５Ｈｚ〜４０００Ｈｚ平均値での比較例の吸音材１１Ａと、本実施形態の吸音材１１の吸音力を示している。図６の実施例では吸音材１１は比較例の吸音材１１Ａと同一厚み，同一幅で、かつ該吸音材１１Ａよりも１６％長さを短く設定してあって、切り起こし片１３の起立角度θを０°、３０°、４５°、６０°、９０°とした場合の吸音力を示している。この図から、本実施形態の吸音材１１の切り起こし片１３の起立角度をθ＝０°とした場合には比較例の吸音材１１Ａよりも長さが短いため比較例よりも吸音力が低いが、該起立角度をθ＝３０°にすると比較例の吸音力とほぼ同程度に近づく。そして、起立角度θ＝４５°〜９０°では比較例よりも吸音力が向上していることが判る。
【００３７】
本実施形態ではバックドアトリム１０に設けられる吸音材１１の複数の切り起こし片１３を短冊形状に形成して表面積を増大させているが、この短冊形状を縦長とすることにより、切り起こし片１３の起立保持性の維持および塵埃の付着堆積回避を図っている。
【００３８】
前記実施形態では、吸音材１１は図７（Ａ）に示す鉤形のスリット１２の長辺を直線としたものを採用しているが、図７の変形例（Ｂ）に示すようにスリット１２の長辺を三角波線としたり、変形例（Ｃ）に示すようにスリット１２の長辺を矩形波線とすれば、切り起こし片１３の端部の音を吸収する表面積を増大できる。
【００３９】
なお、本発明は前記実施形態の構造に限定されるものではなく、吸音材１１の両側面に切り起こし片１３を切り起こし配置することも可能である。また、切り起こし片１３は短冊形状に変えて、短片（舌片）形状にすることも可能である。
また、前記実施形態では吸音材１１をバックドアトリム１０に配設しているが、ドアインナパネル３に配設することも可能である。
【００４０】
また、前記実施形態ではトリム材としてバックドアトリムを例示したが、この他、サイドドアトリムやリアサイドトリム、あるいはルーフトリムなどにも適用できることは勿論である。
【符号の説明】
【００４１】
１…ドア本体
２…ドアアウタパネル
３…ドアインナパネル
１０…バックドアトリム（トリム材）
１１…吸音材
１２…スリット
１３…切り起こし片
Ｓ…背後空気層
【図１】
2015113019.tif 000003
【図２】
2015113019.tif 000004
【図３】
2015113019.tif 000005
【図４】
2015113019.tif 000006
【図５】
2015113019.tif 000007
【図６】
2015113019.tif 000008
【図７】
2015113019.tif 000009